(57)【特許請求の範囲】
【請求項１】
かみそり上部に、モータ動力で駆動される内刃（１１）と、アーチ形断面の外刃（２７）を備えている外刃カートリッジ（１７）と、外刃カートリッジ（１７）を支持する外刃ホルダー（１６）とが設けてある電気かみそりであって、
外刃ホルダー（１６）の内面に配置したカートリッジ枠（１８）が、外刃ホルダー（１６）で上下動自在に、しかし抜け外れは不能に案内支持されて、両者（１６・１８）間に設けたばね（１９）で下降付勢されており、
カートリッジ枠（１８）に、外刃カートリッジ（１７）が分離可能に装着してあり、
カートリッジ枠（１８）が前後壁（３０・３１）および左右壁（３２・３３）とで無端角枠状に形成されており、
前後左右の各壁（３０〜３３）が、外刃ホルダー（１６）の内面に設けた案内面（２３）で上下動自在に案内支持されており、
カートリッジ枠（１８）と外刃ホルダー（１６）との間に、カートリッジ枠（１８）を抜け止め保持する一対の係合体（２４・２５）が設けてあることを特徴とする電気かみそり。
【請求項２】
カートリッジ枠（１８）の前半側と後半側とが、それぞれ独立して設けた複数個のばね（１９・１９）で下降付勢してある請求項１記載の電気かみそり。
【請求項３】
カートリッジ枠（１８）と外刃ホルダー（１６）との間に、カートリッジ枠（１８）を押し下げ付勢する圧縮コイル形のばね（１９）が配置してある請求項１または２記載の電気かみそり。
【請求項４】
カートリッジ枠（１８）の内面に、外刃カートリッジ（１７）の前後方向ないし左右方向の装填姿勢を規制する位置決め体（３６）が突設されており、外刃カートリッジ（１７）の保形枠（２８）に、位置決め体（３６）と係合する溝（２９）が設けられている請求項１、２または３記載の電気かみそり。
【請求項５】
内刃（１１）を支持するヘッドユニット（７）が本体ケース（１）に対して上下動可能に浮動支持されており、
外刃ホルダー（１６）がヘッドユニット（７）に対して着脱自在に装着してある請求項１、２、３または４記載の電気かみそり。
【請求項６】
カートリッジ枠（１８）を抜け止め保持する一対の係合体（２４・２５）が、外刃ホルダー（１６）と一体に形成した突起（２４）と、突起（２４）に対応してカートリッジ枠（１８）に設けた溝（２５）とで構成してある請求項１、２、３、４または５記載の電気かみそり。
【請求項７】
外刃ホルダー（１６）に設けた突起（２４）が、外刃カートリッジ（１７）の前後方向ないし左右方向の装填姿勢を規制する位置決め体（３６）を兼ねている請求項４、５または６記載の電気かみそり。
【請求項８】
電気かみそりが横軸回りに回転する内刃（１１）を備えているロータリ式の電気かみそりからなり、
内刃（１１）の回転方向上手側においてはカートリッジ枠（１８）を下降付勢するばね（１９）の張力が、内刃（１１）の回転方向下手側においてカートリッジ枠（１８）を下降付勢するばね（１９）の張力より大きく設定してある請求項１、２、３、４、５、６または７記載の電気かみそり。  
【発明の詳細な説明】
【０００１】
【発明の属する技術分野】
この発明は、アーチ形に湾曲する外刃を備えている電気かみそり、なかでも外刃の全体が外刃ホルダーに対して上下動可能に支持され、ばねで内刃と密着する向きに移動付勢してある、いわば浮動支持型の外刃を備えている電気かみそりに関する。
【０００２】
【従来の技術】
この種の電気かみそりは、実開昭５８−１１２２８３号公報に見ることができる。そこでは、外刃ホルダーの内面前後壁のそれぞれに、上下スライド自在に案内支持される一対のスライド板を設け、アーチ形の湾曲変形させた外刃の前後縁を各スライド板に係止装着している。両スライド板は外ホルダーに装着した線ばねで、それぞれ下向きにスライド付勢してある。
【０００３】
この発明では、シート状の外刃がプラスチック製の保形枠でアーチ形に保形された、ユニット部品化された外刃カートリッジを用いるが、この種の電気かみそりは特開平５−３２９２８０号公報に公知である。そこでは、保形枠を前後一対の捻りコイル形のキックばねで押し下げ付勢することにより、外刃を内刃に密着させている。
【０００４】
【発明が解決しようとする課題】
一対のスライド板を線ばねでスライド付勢する前者形態の電気かみそりにおいては、切れ味の落ちた外刃をスライド板から取り外した後、新規な外刃をスライド板に係止装着することにより、外刃を更新できる。しかし、外刃を交換する際に、誤って弾性限界を越えて屈曲させることがあり、こうした場合に刃面に折りぐせが付いたり、刃面を破損することがある。
【０００５】
この点ユニット部品化された外刃カートリッジは、外刃が保形枠で常に保形保持してあるので、刃面に損傷を与える可能性は極めて低い。問題は、外刃ホルダーに装着したキックばねで保形枠を押し下げ付勢する構造をとるので、ユーザー自身の手による外刃カートリッジとばねとの組み込みが難しく、止む得ず、外刃ホルダーを上部ホルダーと下部ホルダーとで構成し、外刃カートリッジ、およびばねを、これらが組み付けられる上部ホルダーごと交換する形態をとっている。つまり、外刃の交換時に廃棄される部品数が多く、その分だけコストが高く付く。
【０００６】
この発明の目的は、ユニット部品化された外刃カートリッジが外刃ホルダーに対して浮動支持してある電気かみそりにおいて、外刃カートリッジのみを換装できるようにし、以て外刃交換に要するコストを削減することにある。この発明の他の目的は、外刃を内刃に常に密接させることができ、従ってどのようなひげそり状態においても良好な切れ味を発揮できる浮動支持型の外刃カートリッジを備えている電気かみそりを提供することにある。この発明の目的は、ヘッドユニットが、本体ケースに対して常に密接させることができ、従って電気かみそりの姿勢の如何にかかわらず、良好な切れ味を発揮できる電気かみそりを提供することにある。この発明の他の目的は、外刃カートリッジの刃面を横軸回りに回転駆動される内刃に対して常に密接させ、従ってどのようなひげそり状態においても良好な切れ味を発揮できる、ロータリ式の電気かみそりを提供することにある。
【０００７】
【課題を解決するための手段】
この発明の電気かみそりは、かみそり上部に、モータ動力で駆動される内刃１１と、アーチ形断面の外刃２７を備えている外刃カートリッジ１７と、外刃カートリッジ１７を支持する外刃ホルダー１６とが設けてある。外刃ホルダー１６の内面にカートリッジ枠１８を配置し、この枠１８を外刃ホルダー１６で上下動自在に、しかし抜け外れは不能に案内支持する。さらに、両者１６・１８間に設けたばね１９で下降付勢する。カートリッジ枠１８を、外刃カートリッジ１７を分離可能に装着する。
【０００８】
カートリッジ枠１８は前後壁３０・３１および左右壁３２・３３とで無端角枠状に形成する。前後左右の各壁３０〜３３は、外刃ホルダー１６の内面に設けた案内面２３で上下動自在に案内支持する。カートリッジ枠１８と外刃ホルダー１６との間に、カートリッジ枠１８を抜け止め保持する一対の係合体２４・２５を設ける。
【０００９】
カートリッジ枠１８の前半側と後半側とは、それぞれ独立して設けた複数個のばね１９・１９で下降付勢する。
【００１０】
カートリッジ枠１８と外刃ホルダー１６との間に、カートリッジ枠１８を押し下げ付勢する圧縮コイル形のばね１９を配置する。
【００１１】
カートリッジ枠１８の内面に、外刃カートリッジ１７に前後方向ないし左右方向の装填姿勢を規制する位置決め体３６を突設し、外刃カートリッジ１７の保形枠２８に、位置決め体３６と係合する溝２９を設ける。
【００１２】
内刃１１を支持するヘッドユニット７が本体ケース１に対して上下動可能に浮動支持してある電気かみそりにおいて、外刃ホルダー１６をヘッドユニット７に対して着脱自在に装着する。
【００１３】
カートリッジ枠１８を抜け止め保持する一対の係合体２４・２５は、外刃ホルダー１６と一体化に形成した突起２４と、突起２４に対応してカートリッジ枠１８に設けた溝２５とで構成する。
【００１４】
外刃ホルダー１６に設けた突起２４が、外刃カートリッジ１７の前後方向ないし左右方向の装填姿勢を規制する位置決め体３６を兼ねるようにする。
【００１５】
横軸回りに回転する内刃１１を備えているロータリ式の電気かみそりにおいて、内刃１１の回転方向上手側においてはカートリッジ枠１８を下降付勢するばね１９の張力を、内刃１１の回転方向下手側においてカートリッジ枠１８を下降付勢するばね１９の張力より大きく設定する。
【００１６】
【作用および発明の効果】
外刃ホルダー１６の内面に設けたカートリッジ枠１８を、外刃ホルダー１６に対して上下動可能に浮動支持したうえで、ばね１９で下降付勢しておき、外刃カートリッジ１７をカートリッジ枠１８に対して分離可能に装着するので、外刃カートリッジ１７を交換する際には、外刃カートリッジ１７をカートリッジ枠１８に対して着脱するだけで済む。つまり、外刃２７を内刃１１に密接させるためのばね１９に煩わされることもなく、外刃カートリッジ１７を容易に換装できるうえ、外刃交換時の廃棄部品を外刃カートリッジ１７のみに限って、そのコストを著しく削減できる。
【００１７】
カートリッジ枠１８を前後左右の各壁３０〜３３で無端角枠状に形成し、これらの各壁３０〜３３を外刃ホルダー１６の案内面２３で案内支持すると、例えば、前後壁３０・３１や左右壁３２・３３などの対向する壁面のみを案内面２３で案内支持する場合に比べて、カートリッジ枠１８を安定した状態で上下にスライド案内でき、カートリッジ枠１８に偏荷重が作用するような場合にも、支障なく追随できる。一対の係合体２４・２５は、カートリッジ枠１８がばね１９の付勢力を受けて外刃ホルダー１６から分離するのを防ぐために設けられており、これらの係合体２４・２５をカートリッジ枠１８と外刃ホルダー１６との間に設けると、各係合体２４・２５をカートリッジ枠１８および外刃ホルダー１６と一体に形成することが可能となり、部品数を削減できる点で有利である。
【００１８】
カートリッジ枠１８を複数個のばね１９で、枠前半側と枠後半側とに分けて下降付勢するのは、内刃１１との接触部を境いにして、外刃２７の前縁の側と後縁の側とのそれぞれにばね１９の張力を作用させ、外刃２７を内刃１１に対して常に密接させて、両者１１・２７の間に隙間が生じるのを防ぐためである。つまり、外刃の前後縁をばねで直接移動付勢した場合と同様の密接作用を発揮するためであり、これにより切れ味を向上できる。
【００１９】
圧縮コイル形のばね１９でカートリッジ枠１８を押し下げ付勢するばね付勢構造によれば、カートリッジ枠１８の下方にばね１９が露出するのを避けられるので、外刃カートリッジ１７をカートリッジ枠１８に対して着脱する際に、保形枠２８がばね１９に引っ掛かるのを防止できる。カートリッジ枠１８が上下動する場合の、カートリッジ枠１８とばね１９との相対移動がないので、カートリッジ枠１８および外刃カートリッジ１７を円滑に上下動させることができ、これにより外刃２７を内刃１１に対して常に密接できる。従って、ひげそり時に内刃１１が繰り返し上下動するような状況においても、外刃２７を内刃１１の動きに滑らかに追随させることができる。
【００２０】
カートリッジ枠１８の内面に位置決め体３６を設けておくと、外刃カートリッジ１７のカートリッジ枠１８に対する装填姿勢を常に適正なものとすることができ、とくに外刃２７の後面に限ってひげ誘導溝が形成してあるような場合に、外刃カートリッジ１７を間違いなく装填して、的確に使用できる。
【００２１】
ヘッドユニット７が本体ケース１に対して浮動支持してある電気かみそりにおいて、外刃ホルダー１６をヘッドユニット７に対して着脱自在に装着すると、ヘッドユニット７、即ち内刃１１の上下動に追随して外刃ホルダー１６を同行移動できるので、外刃２７と内刃１１を常に密接する状態に維持できる。因みに、この種の電気かみそりにおいて、外刃ホルダー１６を本体ケース１の側に装着すると、外刃ホルダー１６と内刃１１とが相対移動し得るので、外刃ホルダー１７がカートリッジ枠１８を介して外刃ホルダー１６に浮動支持してあっても、外刃２７と内刃１１に対して完全に追随移動できない状況が起こり得る。
【００２２】
外刃ホルダー１６と一体に形成した突起２４と、カートリッジ枠１８に設けた溝２５とで一対の係合体を構成すると、溝２５と外刃ホルダー１６の側に設ける場合に比べて、外刃ホルダー１６の成形用金型の構造を簡素化できる。また、突起２４を利用して、カートリッジ枠１８に装着した外刃カートリッジ１７を位置決めできる。
【００２３】
ロータリ式の電気かみそりにおいては、内刃１１と外刃２７とでひげを切断する際に、外刃２７に対して内刃１１の回転方向に沿う切断力が作用する。この切断力に抗して外刃２７を位置保持し、ひげの切断を確実に行うために、内刃１１の回転方向上手側のばね１９の張力を、他方のばね１９の張力より大きく設定して、ひげ切断時に内刃１１の回転下手側において、外刃２７が内刃１１から浮き離れるのを阻止している。因みに、内刃１１の回転方向上手側の外刃２７の端部を固定してしまうと、ひげの切断負荷が大きくなった場合に、外刃２６を内刃１１の切断力の方向へ逃がして負荷を軽減することができないので、外刃２７が破損するおそれがある。
【００２４】
【実施例】
図１ないし図８は、この発明を適用したロータリ式電気かみそりの実施例を示す。図２ないし図４において、電気かみそりは、上下面が開口する筒状の本体ケース１と、本体ケース１の上面側から組み込まれるかみそりユニット２と、本体ケース１に下面側から組み込まれる底ケース３などで本体部を構成する。これら三者１〜３は、底ケース３とかみそりユニット２をビスで締結することにより一体化されている。
【００２５】
かみそりユニット２は、回路基板４や二次電池５を支持するボディ６と、ボディ６で上下動自在に支持されるヘッドユニット７とで構成してある。ヘッドユニット７の上面左右には、左右一対の内刃支持枠１０が設けてあり、両枠の上端間に横軸回りに回転する内刃１１を配置している。内刃１１を回転駆動するために、ヘッドユニット７の内部にモータ８を配置し、その回転力をギヤ伝動機構９を介して内刃１１に伝えている。ギヤ伝動機構９はヘッドケース１２と、図に向かって右方の内刃支持枠１０の内部に組み込んである。本体ケース１の前面にはモータ起動用のスイッチノブ１３が、また背面にはきわぞり刃ユニット１４（図５参照）が配置してある。かみそりユニット２を本体ケース１に組み付けた状態において、ヘッドユニット７は、本体ケース１に対して上下動できるよう、ボディ６で浮動支持してある。
【００２６】
上記の本体部と、ヘッドユニット７に着脱される外刃ホルダー１６と、内刃清掃用の清掃具Ｃとで電気かみそりを構成している。図１において外刃ホルダー１６の内部には、一個の部品としてユニット化してある外刃カートリッジ１７と、外刃カートリッジ１７を着脱するためのカートリッジ枠１８およびカートリッジ枠１８を下降付勢する４個の圧縮コイル形のばね１９などが組み付けてある。
【００２７】
外刃ホルダー１６は上下面が開口する中空枠体からなり、その左右側壁と、前壁のそれぞれに、ヘッドユニット７の左右側壁および前壁に外嵌する嵌合面２１を有する。さらに背面開口の両側に、ヘッドユニット７側のガイド壁７ａと係合する嵌合リブ２２が、それぞれ背面下方へ向かって下り傾斜するように形成してある（図５参照）。嵌合リブ２２をガイド壁７ａに沿ってスライド係合すると、外刃ホルダー１６の全体がガイド壁７ａでヘッド背方へ引き寄せられるので、外刃ホルダー１６をヘッドユニット７に対してぐらつきなく装着できる。外刃ホルダー１６の内面上方には、カートリッジ枠１８を上下動自在に案内する案内面２３を設け、その前後面壁のそれぞれにピン状の突起（係合体）２４を設けている。詳しくは、前面中央と後面の左右の合計３個所に突起２４を設けている。案内面２３の上端に連続する前方および後方段部には、それぞれ左右一対のばね受部２６（図８参照）が凹み形成してある。
【００２８】
図６において、外刃カートリッジ１７は、電鋳品からなる外刃２７と、外刃２７を内刃１１の周面に沿う断面アーチ形に保形保持する保形枠２８とで構成する。保形枠２８の前壁の中央一個所と、後壁の左右二個所には、先の突起２４に対応して溝２９が切り欠き形成してある。この溝２９によって、外刃カートリッジ１７の前後の装填方向を特定することができる。
【００２９】
カートリッジ枠１８は、前後壁３０・３１および左右壁３２・３３を一体に成形した無端角枠状のプラスチック成形品からなり、前後壁３０・３１のそれぞれに先の突起２４に対応する溝（係合体）２５を通設する。さらに前後壁３０・３１の上面左右に、ばね１９用の受座３４を形成する。前後左右の各壁３０〜３３を外刃ホルダー１６の案内面２３に仮り組みし、ばね受部２６と受座３４との間にばね１９を介装した状態で、前後壁３０・３１をたわみ変形させながら各溝２５を各突起２４に嵌め込むことにより、カートリッジ枠１８を外刃ホルダー１６と一体化する。図６および図７に示すように、カートリッジ枠１８の四隅外面は大きく面取りされていて、外刃ホルダー１６の案内面２３にも同様の面取り面が設けてある。このように、スライド面の隅部のそれぞれに面取りを施すと、カートリッジ枠１８が上下スライドするときの隅部どうしの引っ掛かりを防止して、外刃カートリッジ１７の上下動を円滑化できる。
【００３０】
この組み付け状態において、カートリッジ枠１８は、前後左右の各壁３０〜３３が案内面２３で上下スライド自在に案内され、前壁３０および後壁３１のそれぞれが、独立した２個ずつのばね１９で押し下げ付勢されている。さらに、各溝２５と係合するピン状の突起２４で、カートリッジ枠１８の全体が抜け外れ不能に係合保持されている。先に述べた通り、突起２４は外刃カートリッジ１７の装填姿勢を規定する位置決め体３６を兼ねていて、これに保形枠２８の溝２９を嵌め込むことにより、外刃カートリッジ１７をカートリッジ枠１８に対して適正に組むことができるうえ、外刃カートリッジ１７の装填状態を維持できる。
【００３１】
上記のように、カートリッジ枠１８の前壁３０と後壁３１とは、それぞれ２個ずつ配置したばね１９で押し下げ付勢するが、内刃１１の回転方向との関係で、前側のばね１９の合計ばね力に比べて、後側のばね１９の合計ばね力を大きく設定している。内刃１１は、その上周面において図８中矢印で示す向きに回転するが、この回転方向上手側８（後側）に設けられるばね１９の張力を大きく設定することにより、ひげ切断時の内刃１１の切断力によって外刃２７が回転下手側へ引き寄せられ、外刃２７と内刃１１との隙間が生じるのを防ぐためである。但し、内刃１１の切断負荷が異常に大きくなると、外刃２７は回転下手側へ変位して負荷を軽減できる。
【００３２】
外刃ホルダー１６をヘッドユニット７から取り外した状態においては、カートリッジ枠１８はばね１９で待機位置に押し下げられており、従って外刃２７も外刃ホルダー１６に対してやや沈み込んでいる。外刃ホルター１６をヘッドユニット７に嵌め込むと、内刃１１が外刃カートリッジ１７の内面に入り込み外刃２７と密接する。このとき、カートリッジ枠１８は、図８に示すように先の待機位置からばね１９の押し下げ力に抗して上方へ移動している。つまり、カートリッジ枠１８は上下いずれの方向にも上下スライドでき、これにより外刃２７を内刃１１に対して常に密接できるようにしている。なお、外刃ホルダー１６の左右壁の内面には、ヘッドケース１２の両側に設けたロック片３７（図５参照）と係合する係合部と、ロック片３７をそのばねに抗してロック解除操作する解除ボタン３８とが設けてあり、解除ボタン３８を押し込み操作することによって、外刃ホルダー１６をヘッドユニット７から取り外すことができる。
【００３３】
外刃カートリッジ１７を交換する場合には、保形枠２８の前後壁のいずれか一方を、カートリッジ枠１８の前後壁３０・３１から浮き離れるように弾性変形させ、突起２４と係合している溝２９を外す。他方の壁の溝２９も同様にして突起２４から外することにより、外刃カートリッジ１７を外刃カートリッジ枠１８から分離できる。新規な外刃カートリッジ１７は、溝２９の前後位置を突起２４のそれに合致させた状態で、全体をカートリッジ枠１８内へ差し込むことにより、簡単に装填できる。
【００３４】
上記の実施例におけるカートリッジ枠１８は、圧縮コイル形のばね１９で下降付勢する代わりに、従来から多用されている捻りコイル形のばねや板ばねなどの金属ばねで下降付勢できる。さらに、独立形成したプラスチック製のばねや、カートリッジ枠１８と一体に形成したプラスチック製のばねを用いることができる。
【００３５】
この発明は、図９および図１０に示すように、前後一対の内刃１１を備えているロータリ式電気かみそりにも適用できる。図９においては、各内刃１１がそれぞれ専用のモータ８と、ギヤ伝動機構９を介して個別に駆動され、しかも各内刃１１に対応して設けたヘッドユニット７・７が、独立して浮動支持されている。この場合には、外刃ホルダー１６を本体ケース１に着脱自在に装着している。外刃ホルダー１６の内部には、各内刃１１に対応して２個のカートリッジ枠１８を配置し、これらを先の実施例と同様に押し下げ付勢する。他は上記の実施例と同じであるので、同じ部材に同じ符号を与えて説明を省略する。以下の実施例においても同じとする。
【００３６】
図１０は、上記のように、各内刃１１に対応して設けたモータ８およびギヤ伝動機構を、一個のヘッドユニット７に組み込み、ヘッドユニット７を本体ケース１に対して浮動支持している。この場合には、外刃ホルダー１６をヘッドユニット７に対して着脱自在に装着する。外刃ホルダー１６の内部には、各内刃１１に対応して２個のカートリッジ枠１８を配置し、これらに外刃カートリッジ１７をそれぞれ装着する。
【００３７】
上記の各実施例においては、ヘッドユニット７が浮動支持してある場合について説明したが、その必要はない。つまり、ヘッドユニット７が本体ケース１に対して上下動不能に固定してある場合には、外刃ホルダー１６は本体ケース１とヘッドユニット７のいずれにでも着脱可能に装着することができる。
【００３８】
図１１はこの発明を往復動型の電気かみそりに適用した実施例を示す。そこでは、外刃ホルダー１６の内面に設けたカートリッジ枠１８に、外刃カートリッジ１７を着脱可能に装着する。この場合は、内刃１１が回転しないので、全てのばね１９の張力を同じにすることができる。なお、ばね１９は図示を省略している。
【００３９】
上記以外に、カートリッジ枠１８に装着した外刃カートリッジ１７は、外刃ホルダー１６をヘッドユニット７から取り外した状態において、カートリッジ枠１８から容易に外れなければよいので、例えばカートリッジ枠１８と保形枠２８との間に設けた凹凸係合構造によって、装着状態を維持することができる。カートリッジ枠１８は無端枠状であることが好ましいが、その一部が分離されていてもよい。また、分割された前後一対の枠体どうしが、一体成形ヒンジを介して連結してあって、前枠体と後枠体とが独立して上下動できるように構成することができる。
【図面の簡単な説明】
【図１】外刃ホルダーの縦断側面図である。
【図２】電気かみそりの正面図である。
【図３】本体部の概略構造を示す説明図である。
【図４】外刃ホルダーを分離した状態の電気かみそりの正面図である。
【図５】外刃ホルダーを分離した状態の電気かみそりの側面図である。
【図６】外刃カートリッジとカートリッジ枠の斜視図である。
【図７】図１におけるＡ−Ａ線断面図である。
【図８】外刃ホルダーの装着状態を示す断面図である。
【図９】この発明の別の実施例を示す説明図である。
【図１０】この発明のさらに別の実施例を示す説明図である。
【図１１】この発明のさらに別の実施例を示す説明図である。
【符号の説明】
１  本体ケース
７  ヘッドユニット
１１  内刃
１６  外刃ホルダー
１７  外刃カートリッジ
１８  カートリッジ枠
１９  ばね
２４・２５  係合体
２７  外刃
２８  溝
【図１】
0004367671.tif 000002
【図２】
0004367671.tif 000003
【図３】
0004367671.tif 000004
【図４】
0004367671.tif 000005
【図５】
0004367671.tif 000006
【図６】
0004367671.tif 000007
【図７】
0004367671.tif 000008
【図８】
0004367671.tif 000009
【図９】
0004367671.tif 000010
【図１０】
0004367671.tif 000011
【図１１】
0004367671.tif 000012